(57)【特許請求の範囲】
【請求項１】
自動脱穀機により脱穀調整された排稈を、搬送手段によりコンバイン本体の後方に送りながら、下端を切換操作レバーによって回動する切換軸に設けた切換板の起伏作用でディスク型カッター機構又は集稈などの非切断処理手段に切換え搬送し、一方、前方に排稈送り刃を挿嵌した低速回転軸と、後方に回転切断刃を挿嵌した高速回転軸で構成するディスク型カッターの高速回転切断刃間に、切断排稈の跳出し板を介設したコンバインにおける排稈の切断，非切断切換装置において、前記切換板の内面上部に、この切換板の切断姿勢から非切断姿勢に移動するに従い、下端が高速回転切断刃間の空所領域に介入する位置又は近傍位置から上方切換板軸方向に回動外脱し、切換板の排稈非切断姿勢から切断姿勢に移動するに従い、下端が切換板軸近くから離れて高速回転切断刃間の空所領域に介入する位置又は近傍方向位置に回動する排稈ガイドの上端部を軸支せしめたことを特徴とするコンバインにおける排稈の切断，非切断切換装置。
【発明の詳細な説明】
【０００１】
【発明の属する技術分野】
本発明は、コンバインにおける排稈の切断，非切断切換装置に係る技術分野に属する。
【０００２】
【従来の技術】
自動脱穀機により脱穀調整された排稈を、搬送手段によりコンバイン本体の後方に送りながら、下端を切換操作レバーによって回動する切換軸に設けた切換板の起伏作用でディスク型カッター機構又は集稈などの非切断処理手段に切換え搬送し、一方、ディスク型カッターを構成する高速回転切断刃間に、切断排稈の跳出し板を介設したコンバインにおける排稈の切断，非切断切換装置は一般に知られている。
【０００３】
【発明が解決しようとする課題】
このような排稈の切断，非切断切換装置における排稈の切断時に際しては、排稈をディスク型カッター機構の排稈切断作用部に効率よく導くために、この排稈切断作用部に下端が近接した排稈ガイドを切換板の内側に設けることがある。この場合、排稈の非切断姿勢に切換板を切換え回動すると、排稈ガイドの先端が高速回転切断刃の領域に深く侵することから、排稈ガイドの先端が高速回転切断刃間に介設した切断排稈の跳出し板に当接して破損したり、あるいは跳出し板を損傷することがある。このようなことから、排稈ガイドが跳出し板に接触しないように短かくすると、排稈ガイドの先端と高速回転切断刃と領域との間に大きな空間が生じ、この空間から排稈が細断されずに通過することがあり、排稈の後処理に多くの労力を要するという不都合があった。又これらの課題をなくするために、跳出し板の介接を省略すると、高速回転切断刃間に切断排稈が残って目詰まり現象が発生し、排稈の切断不能などトラブルの原因となるという課題がある。
【０００４】
本発明の目的は、排稈ガイドの先端を高速回転切断刃間の空所領域内に介入又は近接することができるとともに、排稈ガイドと跳出し板の接触がなく、高能率的に排稈の細断処理と非切断処理がなしうる排稈の切断，非切断切換装置を提供することにある。
【０００５】
【課題を解決するための手段】
上記目的は、自動脱穀機により脱穀調整された排稈を、搬送手段によりコンバイン本体の後方に送りながら、下端を切換操作レバーによって回動する切換軸に設けた切換板の起伏作用でディスク型カッター機構又は集稈などの非切断処理手段に切換え搬送し、一方、前方に排稈送り刃を挿嵌した低速回転軸と、後方に回転切断刃を挿嵌した高速回転軸で構成するディスク型カッターの高速回転切断刃間に、切断排稈の跳出し板を介接したコンバインにおける排稈の切断，非切断切換装置において、前記切換板の内面上部に、この切換板の切断姿勢から非切断姿勢に移動するに従い、下端が高速回転切断刃間の空所領域に介入する位置又は近傍位置から上方切換板軸方向に回動外脱し、切換板の排稈非切断姿勢から切断姿勢に移動するに従い、下端が切換板軸近くから離れて高速回転切断刃間の空所領域に介入する位置又は近傍方向位置に回動する排稈ガイドの上端部を軸支せしめたことにより達成される。
【０００６】
【発明の実施の形態】
図面について本発明実施の形態の詳細を説明する。
図１は本発明装置を構成するディスク型カッター機構を備えたコンバイン本体の後部側面図、図２はディスク型カッター機構の一部切欠平面図、図３はディスク型カッター機構の一部切欠拡大側面図である。
【０００７】
図１に示すＡはコンバイン本体，Ｂは排稈搬送装置，Ｃはディスク型カッター機構である。排稈搬送装置Ｂを構成する搬送ベルト１の下辺には、排稈のガイドレール２が昇降可能に沿設されている。前記搬送ベルト１の送り出し端下方に、排稈の切断，非切断を行なう起伏可能な切換板３を上部にもつディスク型カッター機構Ｃが配設されている。図中４はシャッター，５は高速回転切断刃の駆動機構である。
【０００８】
次に、図２，図３について排稈の切断，非切断切換装置を備えたディスク型カッター機構の詳細を説明する。
【０００９】
６は、カッターケース７を構成する左右２枚一組のカッターフレームで、このカッターフレーム６の正面形状は基本的には方形状であるが、このカッターフレーム６の上辺を、後方に向け下向き傾斜させた形状とする。又両カッターフレーム６は所要の間隔を介して対向的に配設されるとともに、両カッターフレーム６の上辺前部及び後辺間はカバー部材８，９によって結合されており、このカバー部材８，９により、カッターフレーム６の傾斜上辺間には排稈の供給口１０が形成される。図中１１は、両カッターフレーム６を確実に固定連結するための梁材である。
【００１０】
両カッターフレーム６間には、後方位置に断面形状が多角形をした高速回転軸１２と前方位置に低速回転軸１３とを段違いに、かつ平行に軸架するとともに、高速回転軸１２には所要の間隔をもって高速回転切断刃１４を挿嵌させ、各高速回転切断刃１４間に細断排稈の跳出し板１５を介設する。又低速回転軸１３には、前記高速回転切断刃１４の刃先と噛合し、排稈の切断作用部を構成する送り込み体１６ａを備えた低速回転送り込み刃１６を挿嵌し、各低速回転送り込み刃１６間に仕切りパイプ１７を介設させる。又図２に示すように、高速回転軸１２の一側端に、前記駆動機構５を構成するプーリー１８が設けられており、ベルト１９を介して回転軸１２に高速回転が伝動される。図中２０は径小歯車，２１は径大歯車であって、減速された回転方向の異なる回転が低速回転軸１３に伝えられるように構成する。
【００１１】
前記カッターケース７の上部に形成された排稈の供給口１０の後縁部に切換軸２２を回動可能に軸架し、この切換軸２２に供給口１０を閉塞しうる面積をもつ前記切換板３の下端を固着する。切換軸２２の一側端にアーム２３の上部を固定するとともに、このアーム２３の下端に、コンバイン本体Ａの前部に設けた操縦席（図示略）に前端を配設せる切換操作レバー２４の後端を連結させ、この切換操作レバー２４の前後動により切換軸２２が回動し、前記切換板３が排稈の切断姿勢及び非切断姿勢の２姿勢に切換えられるようにしたものである。
【００１２】
図３から明らかなように、切換板３の内面上部両側部に夫々ステー２５を設け、このステー２５の対向する側面間に、前記高速回転切断刃１４間の空所領域に介入又は近接して臨み、かつ、排稈を各高速回転刃１４と低速回転送り込み刃１６の送り込み体１６ａとによって構成される切断作用部に強制的に送り込む排稈ガイド２６を備えたガイドベース２７の両端を軸支橋架、詳しくは、このガイドベース２７の両端を排稈ガイド２６と略平行の摺動板２８の上部に固定するとともに、この摺動板２８の上端部を前記ステー２５に回転可能に軸支したものである。即ち、排稈ガイド２６と摺動板２８とは一体となって回動する。
【００１３】
摺動板２８の下部に、これの長手軸線方向にそった案内長孔２９を形成し、この案内長孔２９に両カッターフレーム６に固定したピン３０を夫々挿入し、該ピン３０の両カッターフレーム６に対する取付位置を、排稈の切断姿勢にある切換板３が非切断姿勢に移行するに従い、摺動板２８を切換板３方向に向け大きく回動させ、排稈ガイド２６の先端を高速回転切断刃１４の領域から速やかに外脱させるとともに、これと逆の動きをなさしめるに適した部位に位置決めしたものである。
【００１４】
【発明の効果】
上述のように本発明の構成によれば、次のような効果が得られる。
（ａ）コンバインにおける排稈の切断，非切断切換装置において、切換板の内側に排稈を強制的に送り込み誘導する排稈ガイドを設けたので、排稈の切断効率の向上が図れることは勿論のこと、
（ｂ）排稈ガイドを、切換板の切断姿勢から非切断姿勢に移行する際に、切換え移行の進行に伴って切換板の後方内面方向に向かって速やかに回動変位する摺動板にそって設けたので、排稈ガイドの先端を高速回転切断の領域からいち早く外脱することができ、排稈ガイドの先端と細断排稈の跳出し板との接触が合理的に防止できるとともに、排稈ガイドの先端を充分に長くし、高速回転切断刃の領域内に介入又は近接し得られ、排稈の未切断を皆無とし切断効率の向上が図れる。
（ｃ）排稈の非切断姿勢から切断姿勢に移行する際において、排稈ガイドがいち早く切断作用部にセットし得られ、排稈の切断もれが防止し得る。
【図面の簡単な説明】
【図１】  本発明装置を構成するディスク型カッター機構を備えたコンバイン本体の後部側面図である。
【図２】  ディスク型カッター機構の一部切欠平面図である。
【図３】  ディスク型カッター機構の一部切欠拡大側面図である。
【符号の説明】
Ａ  コンバイン本体
Ｂ  排稈搬送装置
Ｃ  ディスク型カッター機構
１  搬送ベルト
２  ガイドレール
３  切換板
４  シャッター
５  高速回転切断刃
６  カッターフレーム
７  カッターケース
８  カバー部材
９  カバー部材
１０  排稈の供給口
１１  梁材
１２  高速回転軸
１３  低速回転軸
１４  高速回転切断刃
１５  跳出し板
１６  低速回転送り込み刃
１６ａ  送り込み体
１７  仕切パイプ
１８  プーリー
１９  ベルト
２０  径小歯車
２１  径大歯車
２２  切換軸
２３  アーム
２４  操作レバー
２５  ステー
２６  切換排稈ガイド
２７  ガイドベース
２８  摺動板
２９  案内長孔
３０  ピン
【図１】
0003803813.tif 000002
【図２】
0003803813.tif 000003
【図３】
0003803813.tif 000004